(57)【要約】  本発明は、ＯＦＤＭ基盤の無線通信システムにおいて、上りリンクパケットデータが送信される際、周波数スケジューリング利得と周波数ダイバーシティ利得を考慮した資源割り当て方法に関するものであって、周波数スケジューリング利得が得られるＬＦＤＭＡ技術と、周波数ダイバーシティ利得が得られるＤＦＤＭＡの技術を混合した方式を提示する。また、ＤＦＤＭＡとＬＦＤＭＡにマッピングされた副搬送波の集合を指示する方法を提示する。
2008546303.tif 000002
【特許請求の範囲】
【請求項１】
ＯＦＤＭ基盤の無線通信システムにおける上りリンクパケットデータ送信のための資源割り当て方法であって、
基地局が複数の端末に対して周波数帯域別の上りリンク資源を割り当てるステップと、
前記割り当てられた資源を前記複数の端末のうち、少なくとも１つの端末の状態を考慮して、等間隔の副搬送波、あるいは連続した副搬送波にマッピングするステップと、
前記基地局が、前記端末のうち、少なくとも１つの端末に対する前記マッピングされた資源を表す資源割り当て情報を生成するステップと、
前記基地局が、スケジューリング割り当てチャネルを用いて、前記生成された資源割り当て情報を前記端末のうち、少なくとも１つの端末へ送信するステップと、を含み、
前記資源割り当て情報は、
前記端末のうち、少なくとも１つの端末に割り当てられた最初の副搬送波のインデックス（Ｉ）、副搬送波間の間隔（Ｒ）、及び副搬送波の個数（Ｎ）を含むことを特徴とするＯＦＤＭ基盤の無線通信システムにおける上りリンクパケットデータ送信のための資源割り当て方法。
【請求項２】
前記マッピングステップは、
ＤＦＤＭＡ（Distributed Frequency Division Multiple Access）を使用する前記複数の端末のうち、１つの端末に割り当てられた資源は、前記等間隔の副搬送波にマッピングし、ＬＦＤＭＡ（Localized Frequency Division Multiple Access）を使用する前記複数の端末のうち、他の１つの端末に割り当てられた資源は、前記連続した副搬送波にマッピングすることを特徴とする請求項１記載のＯＦＤＭ基盤の無線通信システムにおける上りリンクパケットデータ送信のための資源割り当て方法。
【請求項３】
ＯＦＤＭ基盤の無線通信システムにおける上りリンクパケットデータ送信のための資源割り当て方法であって、
基地局が複数の端末に対して周波数帯域別の上りリンク資源を割り当てるステップと、
前記割り当てられた資源を前記複数の端末のうち、少なくとも１つの端末の状態を考慮して、等間隔の副搬送波、あるいは連続した副搬送波にマッピングするステップと、
前記基地局は、前記複数の端末のうち、少なくとも１つの端末に対する前記マッピングされた資源を表す資源割り当て情報を生成するステップと、
前記基地局は、スケジューリング割り当てチャネルを用いて、前記生成された資源割り当て情報を前記少なくとも１つの端末に送信するステップと、を含み、
前記資源割り当て情報は、データが送信される複数の副搬送波を含む周波数ブロックの長さ（Ｌ）と、前記各端末のうち、少なくとも１つの端末に割り当てられた前記周波数ブロックのインデックス（Ｂ）、副搬送波間の間隔（Ｒ）、及び前記端末のうち、少なくとも１つの端末に割り当てられた前記周波数ブロック内で、最初の副搬送波のインデックス（Ｉ）を含むことを特徴とするＯＦＤＭ基盤の無線通信システムにおける上りリンクパケットデータ送信のための資源割り当て方法。
【請求項４】
前記マッピングステップは、
ＤＦＤＭＡ（Distributed Frequency Division Multiple Access）を使用する前記複数の端末のうち、少なくとも１つの端末に割り当てられた資源は、前記等間隔の副搬送波にマッピングし、ＬＦＤＭＡ（Localized Frequency Division Multiple Access）を利用する前記複数の端末のうち、少なくとも他の１つの端末に割り当てられた資源は、前記連続した副搬送波にマッピングすることを特徴とする請求項３記載のＯＦＤＭ基盤の無線通信システムにおける上りリンクパケットデータ送信のための資源割り当て方法。
【請求項５】
ＯＦＤＭ基盤の無線通信システムにおける上りリンクパケットデータ送信のための資源割り当て方法であって、
周波数資源を各々複数の周波数ブロックからなるＤＦＤＭＡ（Distributed Frequency Division Multiple Access）周波数集合と、ＬＦＤＭＡ（Localized Frequency Division Multiple Access）周波数集合とに分けて設定する（ここで、前記各ＤＦＤＭＡ周波数集合とＬＦＤＭＡ周波数集合は複数の副搬送波を含む。）ステップと、
前記基地局は、複数の端末のうち、少なくとも１つの端末に前記ＤＦＤＭＡ周波数集合、あるいは前記ＬＦＤＭＡ周波数集合の副搬送波を割り当てるステップと、
前記基地局は、スケジューリング割り当てチャネルを用いて、前記割り当てられた資源に対する資源割り当て情報を前記複数の端末のうち、少なくとも１つの端末に送信するステップと、
を含むことを特徴とするＯＦＤＭ基盤の無線通信システムにおける上りリンクパケットデータ送信のための資源割り当て方法。
【請求項６】
前記設定を遂行するステップは、
前記基地局に属した複数の端末のうち、少なくとも１つの端末の状態を判断し、必要な資源の量を判断するステップと、
前記ＤＦＤＭＡ周波数ブロックの繰り返し係数値（Ｒ）を設定するステップと、
１つのＤＦＤＭＡ周波数ブロックに含まれる副搬送波の個数（Ｌ）を設定するステップと、
前記ＤＦＤＭＡ周波数集合と前記ＬＦＤＭＡ周波数集合に含まれた各周波数ブロックに対するインデックスを設定するステップと、
を含むことを特徴とする請求項５記載のＯＦＤＭ基盤の無線通信システムにおける上りリンクパケットデータ送信のための資源割り当て方法。
【請求項７】
前記資源割り当て情報は、前記各複数の端末のうち、少なくとも１つの端末に割り当てられたＤＦＤＭＡ周波数ブロック、あるいはＬＦＤＭＡ周波数ブロックのうち、少なくとも１つに対するインデックス情報を含むことを特徴とする請求項６記載のＯＦＤＭ基盤の無線通信システムにおける上りリンクパケットデータ送信のための資源割り当て方法。
【請求項８】
前記割り当てステップは、
前記基地局が前記周波数領域の資源を新たなＤＦＤＭＡ周波数集合とＬＦＤＭＡ周波数集合とに再設定するまで、前記設定されたＤＦＤＭＡ周波数ブロック、あるいはＬＦＤＭＡ周波数ブロックを前記複数の端末のうち、少なくとも１つの端末に割り当てることを特徴とする請求項５記載のＯＦＤＭ基盤の無線通信システムにおける上りリンクパケットデータ送信のための資源割り当て方法。
【請求項９】
前記繰り返し係数値（Ｒ）と前記副搬送波の個数（Ｌ）は、前記資源割り当て情報が送信される前に前記端末に通知されることを特徴とする請求項５記載のＯＦＤＭ基盤の無線通信システムにおける上りリンクパケットデータ送信のための資源割り当て方法。
【請求項１０】
ＯＦＤＭ基盤の無線通信システムにおける上りリンクパケットデータを送信する装置であって、
基地局が複数の端末に対して周波数帯域別上りリンク資源を割り当てるための上りリンク資源割り当て部と、
前記割り当てられた上りリンク資源を前記複数の端末のうち、少なくとも１つの端末の状態を考慮して、等間隔の副搬送波、あるいは連続した副搬送波にマッピングし、前記少なくとも１つの端末に対する前記マッピングされた資源を表す資源割り当て情報を生成するための資源割り当て情報生成部と、
前記資源割り当て情報を符号化するための符号化部と、
スケジューリング割り当てチャネルを用いて、前記符号化された資源割り当て情報を前記複数の端末のうち、少なくとも１つの端末に送信するための送信部とを含み、
前記資源割り当て情報は、前記少なくとも１つの端末に割り当てられた最初の副搬送波のインデックス（Ｉ）、副搬送波間の間隔（Ｒ）、及び副搬送波の個数（Ｎ）を含むことを特徴とするＯＦＤＭ基盤の無線通信システムにおける上りリンクパケットデータ送信のための送信装置。
【請求項１１】
前記資源割り当て情報生成部は、ＤＦＤＭＡ（Distributed Frequency Division Multiple Access）を使用する前記複数の端末のうち、少なくとも１つの端末に割り当てられた資源は前記等間隔の副搬送波にマッピングし、ＬＦＤＭＡ（Localized Frequency Division Multiple Access）を使用する前記複数の端末のうち、少なくとも他の１つの端末に割り当てられた資源は前記連続した副搬送波にマッピングすることを特徴とする請求項１０記載のＯＦＤＭ基盤の無線通信システムにおける上りリンクパケットデータ送信のための送信装置。
【請求項１２】
ＯＦＤＭ基盤の無線通信システムにおける上りリンクパケットデータを送信する装置であって、
基地局が複数の端末に対して周波数帯域別上りリンク資源を割り当てるための上りリンク資源割り当て部と、
前記割り当てられた上りリンク資源を前記複数の端末のうち、各端末の状態を考慮して、等間隔の副搬送波、あるいは連続した副搬送波にマッピングし、前記資源割り当て情報を生成するための資源割り当て情報生成部と、
前記マッピングされた資源を表す資源割り当て情報を符号化するための符号化部と、
スケジューリング割り当てチャネルを用いて、前記符号化された資源割り当て情報を前記少なくとも１つの端末へ送信するための送信部と、を含み、
前記資源割り当て情報は、データが送信される複数の副搬送波を含む周波数ブロックの長さ（Ｌ）、前記複数の端末のうち、少なくとも１つの端末に割り当てられた前記周波数ブロックのインデックス（Ｂ）、前記少なくとも１つの端末に割り当てられた副搬送波間の間隔（Ｒ）、及び前記少なくとも１つの端末に割り当てられた前記周波数ブロック内で、前記少なくとも１つの端末に割り当てられた最初の副搬送波のインデックス（Ｉ）を含むことを特徴とするＯＦＤＭ基盤の無線通信システムにおける上りリンクパケットデータ送信のための送信装置。
【請求項１３】
前記資源割り当て情報生成部は、
ＤＦＤＭＡ（Distributed Frequency Division Multiple Access）を使用する前記複数の端末のうち、少なくとも１つの端末に割り当てられた資源は前記等間隔の副搬送波にマッピングし、ＬＦＤＭＡ（Localized Frequency Division Multiple Access）を前記複数の端末のうち、少なくとも他の１つの使用する端末に割り当てられた資源は前記連続した副搬送波にマッピングすることを特徴とする請求項１２記載のＯＦＤＭ基盤の無線通信システムにおける上りリンクパケットデータ送信のための送信装置。
【請求項１４】
ＯＦＤＭ基盤の無線通信システムにおける上りリンクパケットデータを送信する装置であって、
周波数資源をＤＦＤＭＡ（Distributed Frequency Division Multiple Access）周波数集合とＬＦＤＭＡ（Localized Frequency Division Multiple Access）周波数集合とに分けて設定（ここで、前記各周波数集合は複数の副搬送波ブロックを含み、複数の各副搬送波ブロックは複数の副搬送波を含む。）するための資源割り当て部と、
複数の端末のうち、少なくとも１つの端末に前記ＤＦＤＭＡ周波数集合、あるいは前記ＬＦＤＭＡ周波数集合の副搬送波を割り当てて、複数の端末のうち、少なくとも１つの端末に対する資源割り当て情報を生成する資源割り当て情報生成部と、
前記資源割り当て情報を符号化するための符号化部と、
スケジューリング割り当てチャネルを用いて、前記符号化された資源割り当て情報を前記複数の端末のうち、少なくとも１つの端末に送信するための送信部と、
を含むことを特徴とするＯＦＤＭ基盤の無線通信システムにおける上りリンクパケットデータ送信のための送信装置。
【請求項１５】
前記資源割り当て部は、
前記基地局に属した少なくとも１つの端末の状態を判断し、必要な資源の量を判断し、前記ＤＦＤＭＡ周波数ブロックの繰り返し係数値と１つのＤＦＤＭＡ周波数ブロックに含まれる副搬送波の個数を設定し、前記ＤＦＤＭＡ周波数ブロックと前記ＬＦＤＭＡ周波数ブロックに対するインデックスを設定することを特徴とする請求項１４記載のＯＦＤＭ基盤の無線通信システムにおける上りリンクパケットデータ送信のための送信装置。
【請求項１６】
前記送信部は、
前記複数の端末のうち、少なくとも１つの端末に割り当てられた前記ＤＦＤＭＡ周波数ブロック、あるいは前記ＬＦＤＭＡ周波数ブロックのうち、少なくとも１つに対するインデックス情報を送信することを特徴とする請求項１５記載のＯＦＤＭ基盤の無線通信システムにおける上りリンクパケットデータ送信のための送信装置。
【請求項１７】
前記繰り返し係数値（Ｒ）と前記副搬送波の個数（Ｌ）は、前記資源割り当て情報が送信される前に、前記少なくとも１つの端末に通知されることを特徴とする請求項１４記載のＯＦＤＭ基盤の無線通信システムにおける上りリンクパケットデータ送信のための送信装置。
【請求項１８】
前記資源割り当て情報生成部は、
前記基地局が前記周波数資源を新たなＤＦＤＭＡ周波数集合とＬＦＤＭＡ周波数集合とに再設定するまで、前記設定されたＤＦＤＭＡ周波数ブロック、あるいはＬＦＤＭＡ周波数ブロックを前記複数の端末のうち、少なくとも１つの端末に割り当てることを特徴とする請求項１４記載のＯＦＤＭ基盤の無線通信システムにおける上りリンクパケットデータ送信のための送信装置。
【請求項１９】
前記少なくとも１つの端末は、前記複数の端末うち、どれか１つであることを特徴とする請求項１記載の資源割り当て方法。
【請求項２０】
前記少なくとも１つの端末は、前記複数の端末うち、どれか１つであることを特徴とする請求項３記載の資源割り当て方法。
【請求項２１】
前記少なくとも１つの端末は、前記複数の端末うち、どれか１つであることを特徴とする請求項５記載の資源割り当て方法。
【請求項２２】
前記少なくとも１つの端末は、前記複数の端末うち、どれか１つであることを特徴とする請求項１０記載の装置。
【請求項２３】
前記少なくとも１つの端末は、前記複数の端末うち、どれか１つであることを特徴とする請求項１２記載の装置。
【請求項２４】
前記少なくとも１つの端末は、前記複数の端末うち、どれか１つであることを特徴とする請求項１４記載の装置。
【発明の詳細な説明】
【技術分野】
【０００１】
本発明は、ＯＦＤＭシステムにおける上りリンクパケットデータ送信のための資源割り当てに関し、特にＯＦＤＭ基盤の無線通信システムにおける上りリンクパケットデータ送信時の周波数スケジューリング利得と周波数ダイバーシティ利得を考慮した資源割り当て方法及び装置に関するものである。
【背景技術】
【０００２】
最近、移動通信システムでは、無線チャネルにおける高速データ送信に有用な方式として、直交周波数分割多重（Orthogonal Frequency Division Multiplexing；以下、“ＯＦＤＭ”と称する）方式が活発に研究されている。
【０００３】
多数の搬送波データを送信するためのＯＦＤＭ方式は、多数の搬送波変調方式の１つの類型である。ＯＦＤＭ方式において、シンボル列のために、直列／並列変換処理が行われる。並列シグナルは、多重直交副搬送波チャネルのような多重直交副搬送波に変調される。直交副搬送波チャネルはその以後に送信される。
【０００４】
図１は、通常のＯＦＤＭシステムの送信機構造を示すブロック構成図である。
【０００５】
図１を参照すると、ＯＦＤＭ送信機は、符号化器１０１、変調器１０２、直列／並列変換器１０３、ＩＦＦＴプロセッサー１０４、並列／直列変換器１０５、及びＣＰ挿入器１０６を具備して構成される。
【０００６】
符号化器１０１は、チャネルコーディング（Channel coding）デバイスであって、所定の情報ビット（Information bits）列を受信し、チャネル符号化を遂行する。
【０００７】
通常的に、符号化器１０１としては、畳み込み符号器（Convolutional encoder）、ターボ符号器（Turbo encoder）、またはＬＤＰＣ（Low Density Parity Check）符号器などが使われる。
【０００８】
変調器１０２は、ＱＰＳＫ（Quadrature Phase Shift Keying）、８ＰＳＫ、１６ＱＡＭ（Qadrature Amplitude Modulation）のような変調処理を遂行する。
【０００９】
一方、図１では省略されたが、符号化器１０１と変調器１０２との間に繰り返し（Repetition）及び穿孔（Puncturing）などを行うために、レートマッチング器（Rate matcher）が追加することができる。直列／並列変換器（ＳＰＣ）１０３は、変調器１０２の出力を受信し、並列信号を生成する。
【００１０】
ＩＦＦＴ（Inverse Fast Fourier Transform）プロセッサー１０４は、直列／並列変換器１０３の出力を入力されて、ＩＦＦＴ処理を遂行する。ＩＦＦＴプロセッサー１０４の出力は、並列／直列変換器１０５にて直列に変換される。ＣＰ挿入器１０６では、並列／直列変換器１０５の出力信号に循環前置符号（Cyclic Prefix；以下、“ＣＰ”と称する）を挿入する。
【００１１】
ＩＦＦＴプロセッサー１０４において、周波数領域データが入力され、時間領域データが出力される。従って、通常のＯＦＤＭシステムの場合、入力データが周波数領域でプロセシングされるので、ＩＦＦＴプロセッサー１０４が上記周波数領域データを時間領域データに変形（Transform）する場合、最大電力対平均電力比（peak to average power ratio；以下、“ＰＡＰＲ”と称する）が大きくなる短所がある。
【００１２】
上記のＰＡＰＲは、上りリンク送信に考慮されるべき重要な要素である。ＰＡＰＲ値が大きくなると、セルカバレッジが減る。上記上りリンク送信におけるＰＡＰＲ値を減らす努力に重点が置かれてきている。というのも、システムに対する端末の負荷が増大しないようにする目的からである。ＯＦＤＭ基盤の上りリンク送信においては、通常のＯＦＤＭ方式を変形した多重化（Multiplexing）方式を活用することができる。即ち、上記周波数領域でデータを処理せず、時間領域で処理できるようにする方法を活用することができる。例えば、データはチャネルコーディングや変調なしで、上記時間領域で処理されるようになる可能性がある。
【００１３】
図２は、変形された上りリンク送信方式に基盤したＯＦＤＭシステムの送信機を示すブロック構成図である。
【００１４】
図２を参照すると、上記ＯＦＤＭ送信機は、符号化器２０１、変調器２０２、直列／並列変換器２０３、ＦＦＴプロセッサー２０４、マッピング器２０５、ＩＦＦＴプロセッサー２０６、並列／直列変換器２０７、及びＣＰ挿入器２０８を具備して構成される。
【００１５】
符号化器２０１は、所定の情報ビット列を受信し、受信された情報ビット列のためのチャネル符号化処理を遂行する。変調器２０２は、ＱＰＳＫ、８ＰＳＫ、１６ＱＡＭなどの変調を遂行する。また、前述したように、図２において、符号化器２０１と変調器２０２との間にはレートマッチング器を挿入することができる。直列／並列変換器２０３は、変調器２０２の出力を受信し、並列信号を生成する役割を遂行する。ＦＦＴ（Fast Fourier Transform）プロセッサー２０４は、直列／並列変換器２０３の出力を受信し、ＦＦＴ処理を遂行する。マッピング器２０５は、ＦＦＴプロセッサー２０４の出力をＩＦＦＴプロセッサー２０６の入力にマッピングする。ＩＦＦＴプロセッサー２０６は、ＩＦＦＴ処理を遂行する。ＩＦＦＴプロセッサー２０６の出力は、並列／直列変換器２０７にて直列に変換される。ＣＰ挿入器２０８では、並列／直列変換器２０７の出力信号にＣＰを挿入する。
【００１６】
図３は、図２に図示されたマッピング器の動作をより詳細に示すブロック構成図であって、これを参照してマッピング器の動作を説明する。
【００１７】
チャネル符号化、あるいは変調が行われるためのデータシンボル３０１がＦＦＴプロセッサー２０４に入力される。また、ＦＦＴプロセッサー２０４の出力は、更にＩＦＦＴプロセッサー２０６に入力されて、その前にマッピング器２０５（図示せず）によりマッピングされる。ＩＦＦＴプロセッサー２０６の出力信号３０５は、ＰＳＣ２０７に入力される。
【００１８】
マッピング器２０５は、時間領域から周波数領域へ変形された信号３０３を適当な副搬送波（Sub-carrier）に載せることができるように、ＦＦＴプロセッサー２０４によりＩＦＦＴブロック２０６の入力位置にマッピングさせる。
【００１９】
マッピング処理において、ＦＦＴプロセッサー２０４の出力を連続してＩＦＦＴプロセッサー２０６の入力部にマッピングさせることになった時、周波数領域上で連続的な副搬送波を使用することになり、これをＬＦＤＭＡ（ocalized Frequency Division Multiple Access）という。
【００２０】
また、ＦＦＴプロセッサー２０４の出力を任意の同一な間隔で維持しながらＩＦＦＴプロセッサー２０６の入力部にマッピングさせることになった時、周波数領域上で等間隔の副搬送波を使用することになり、これをＩＦＤＭＡ（Interleaved Frequency Division Multiple Access）、あるいはＤＦＤＭＡ（Distributed Frequency Division Multiple Access）という。以下、これをＤＦＤＭＡと通称する。
【００２１】
図４は、周波数領域において、ＤＦＤＭＡとＬＦＤＭＡの副搬送波の位置を比較図示した図である。
【００２２】
図４の符号４０１に示すように、ＤＦＤＭＡを使用する端末の副搬送波は、周波数領域の全体に等間隔で位置することになる。図４の符号４０２に示すように、ＬＦＤＭＡを使用する端末の副搬送波は、周波数の１つの領域で連続的に位置することになる。
【００２３】
前述したＬＦＤＭＡ方式とＤＦＤＭＡ方式は、各々次のような固有の特徴を有する。
【００２４】
ＬＦＤＭＡ方式は、全体システム周波数帯域のうち、連続する一部分を使用するだけ、周波数帯域でチャネル変化が厳しい周波数選択的チャネル（Frequency selective channel）において、チャネル利得の良い一部の周波数帯域を選択して、 送信できる周波数スケジューリングの利得が得られることになる。
【００２５】
一方、ＤＦＤＭＡ方式は、広い帯域に広まっている複数個の副搬送波を使用して多様なチャネル利得が得られることになり、周波数ダイバーシティ利得が得られることになる。
【００２６】
従って、基地局が周波数帯域別のチャネル利得を知れば、低速端末の上りリンク送信に対して、周波数スケジューリングを優先的に考慮することができる。これによって、ＬＦＤＭＡを使用することで、より良い性能を得ることができる。たとえ、基地局が周波数帯域別のチャネル利得を知らないとしても、ＤＦＤＭＡを活用することによって、より良い性能を得ることができる。それによって、ＤＦＤＭＡは、上記チャネル利得情報が正確でない高速端末の上りリンク送信で、周波数ダイバーシティ利得を大きくすることができる。
【００２７】
上りリンク送信において、システムは上りリンク資源スケジューリングを通じて、上りリンク送信を希望する端末に上記資源の一部を割り当てて、上りリンク送信を許可することになるので、資源のスケジューリングと割り当て方法に従って上りリンク送信時の性能が影響を受けることになる。
【発明の開示】
【発明が解決しようとする課題】
【００２８】
前述したように、上りリンク性能を増加させるために、周波数ダイバーシティ利得を大きくできる端末には、ＤＦＤＭＡ方式を利用するように、上りリンク資源を割り当てて、周波数スケジューリング利得を大きくできる端末にはＬＦＤＭＡ方式を利用するように、上りリンク資源を割り当てる。従って、基地局はスケジューリングにおいて、各端末に従ってＤＦＤＭＡとＬＦＤＭＡの選択を十分考慮しなければならない。
【００２９】
従って、ＤＦＤＭＡ方式とＬＦＤＭＡ方式を混合して上りリンク送信時間に資源を効率良く割り当てることができる方法と装置が必要である。
【００３０】
本発明の実施形態は、上記のような従来技術の問題点及び／又は不都合な点を明らかにし、以下に詳述された最低限の利点を提供する。
【００３１】
従って、本発明は１つの資源を用いてＤＦＤＭＡ方式とＬＦＤＭＡ方式とを混合して、上りリンク送信時、資源を効率良く割り当てることができる方法と装置を提供することをその目的とする。
【課題を解決するための手段】
【００３２】
本発明の一実施形態によると、ＯＦＤＭ基盤の無線通信システムにおける上りリンクパケットデータ送信のための資源割り当て方法であって、基地局が複数の端末に対して周波数帯域別に上りリンク資源を割り当てるステップと、上記割り当てられた資源を上記複数の端末のうち、少なくとも１つの端末の状態を考慮して、等間隔の副搬送波、あるいは連続した副搬送波にマッピングするステップと、上記基地局が、上記端末のうち、少なくとも１つの端末に対する上記マッピングされた資源を表す資源割り当て情報を生成するステップと、上記基地局が、スケジューリング割り当てチャネルを用いて、上記生成された資源割り当て情報を上記端末のうち、少なくとも１つの端末へ送信するステップと、を含み、上記資源割り当て情報は、上記端末のうち、少なくとも１つの端末に割り当てられた最初の副搬送波のインデックス（Ｉ）、副搬送波間の間隔（Ｒ）、及び副搬送波の個数（Ｎ）を含むことを特徴とするＯＦＤＭ基盤の無線通信システムにおける上りリンクパケットデータ送信のための資源割り当て方法を提供する。
【００３３】
本発明の他の実施形態によると、ＯＦＤＭ基盤の無線通信システムにおける上りリンクパケットデータ送信のための資源割り当て方法であって、基地局が複数の端末に対して周波数帯域別上りリンク資源を割り当てるステップと、上記割り当てられた資源を上記複数の端末のうち、少なくとも１つの端末の状態を考慮して、等間隔の副搬送波、あるいは連続した副搬送波にマッピングするステップと、上記基地局が、上記複数の端末のうち、少なくとも１つの端末に対する上記マッピングされた資源を表す資源割り当て情報を生成するステップと、上記基地局は、スケジューリング割り当てチャネルを用いて、上記生成された資源割り当て情報を、上記少なくとも１つの端末に送信するステップと、を含み、上記資源割り当て情報は、データが送信される複数の副搬送波を含む周波数ブロックの長さ（Ｌ）と、上記各端末のうち、少なくとも１つの端末に割り当てられた上記周波数ブロックのインデックス（Ｂ）、副搬送波間の間隔（Ｒ）、及び上記端末のうち、少なくとも１つの端末に割り当てられた上記周波数ブロック内で、最初の副搬送波のインデックス（Ｉ）を含むことを特徴とするＯＦＤＭ基盤の無線通信システムにおける上りリンクパケットデータ送信のための資源割り当て方法を提供する。
【００３４】
本発明の更に他の実施形態によると、ＯＦＤＭ基盤の無線通信システムにおける上りリンクパケットデータ送信のための資源割り当て方法であって、周波数資源を各々複数の周波数ブロックからなるＤＦＤＭＡ（Distributed Frequency Division Multiple Access）周波数集合と、ＬＦＤＭＡ（Localized Frequency Division Multiple Access）周波数集合とに分けて設定する（ここで、上記各ＤＦＤＭＡ周波数は周波数集合とＬＦＤＭＡ周波数集合と周波数領域の資源は複数の副搬送波を含む。）ステップと、上記基地局は、複数の端末のうち、少なくとも１つの端末に上記ＤＦＤＭＡ周波数集合、あるいは上記ＬＦＤＭＡ周波数集合の副搬送波を割り当てるステップと、上記基地局は、スケジューリング割り当てチャネルを用いて、上記割り当てられた資源に対する資源割り当て情報を上記複数の端末のうち、少なくとも１つの端末に送信するステップと、を含むことを特徴とするＯＦＤＭ基盤の無線通信システムにおける上りリンクパケットデータ送信のための資源割り当て方法を提供する。
【００３５】
本発明の更に他の実施側面によると、ＯＦＤＭ基盤の無線通信システムにおける上りリンクパケットデータを送信する装置であって、基地局が複数の端末に対して周波数帯域別上りリンク資源を割り当てるための上りリンク資源割り当て部と、上記割り当てられた上りリンク資源を上記複数の端末のうち、少なくとも１つの端末の状態を考慮して、等間隔の副搬送波、あるいは連続した副搬送波にマッピングし、上記少なくとも１つの端末に対する上記マッピングされた資源を表す資源割り当て情報を生成するための資源割り当て情報生成部と、上記資源割り当て情報を符号化するための符号化部と、スケジューリング割り当てチャネルを用いて、上記符号化された資源割り当て情報を上記複数の端末のうち、少なくとも１つの端末に送信するための送信部と、を含み、上記資源割り当て情報は、上記少なくとも１つの端末に割り当てられた最初の副搬送波のインデックス（Ｉ）、副搬送波間の間隔（Ｒ）、及び副搬送波の個数（Ｎ）を含むことを特徴とするＯＦＤＭ基盤の無線通信システムにおける上りリンクパケットデータ送信のための送信装置を提供する。
【００３６】
本発明の更に他の実施形態によると、ＯＦＤＭ基盤の無線通信システムにおける上りリンクパケットデータを送信する装置であって、基地局が複数の端末に対して周波数帯域別上りリンク資源を割り当てるための上りリンク資源割り当て部と、上記割り当てられた上りリンク資源を上記複数の端末のうち、各端末の状態を考慮して、等間隔の副搬送波、あるいは連続した副搬送波にマッピングし、上記資源割り当て情報を生成するための資源割り当て情報生成部と、上記マッピングされた資源を表す資源割り当て情報を符号化するための符号化部と、スケジューリング割り当てチャネルを用いて、上記符号化された資源割り当て情報を上記少なくとも１つの端末へ送信するための送信部と、を含み、上記資源割り当て情報は、データが送信される複数の副搬送波を含む周波数ブロックの長さ（Ｌ）と、上記複数の端末のうち、少なくとも１つの端末に割り当てられた上記周波数ブロックのインデックス（Ｂ）、上記少なくとも１つの端末に割り当てられた副搬送波間の間隔（Ｒ）、及び上記少なくとも１つの端末に割り当てられた上記周波数ブロック内で、上記少なくとも１つの端末に割り当てられた最初の副搬送波のインデックス（Ｉ）を含むことを特徴とするＯＦＤＭ基盤の無線通信システムにおける上りリンクパケットデータ送信のための送信装置を提供する。
【００３７】
本発明の更に他の実施形態によると、ＯＦＤＭ基盤の無線通信システムにおける上りリンクパケットデータを送信する装置であって、周波数資源をＤＦＤＭＡ（Distributed Frequency Division Multiple Access）周波数集合とＬＦＤＭＡ（Localized Frequency Division Multiple Access）周波数集合とに分けて設定（ここで、上記各周波数集合は複数の副搬送波ブロックを含み、複数の各副搬送波ブロックは複数の副搬送波を含む。）するための資源割り当て部と、複数の端末のうち、少なくとも１つの端末に上記ＤＦＤＭＡ周波数集合、あるいは上記ＬＦＤＭＡ周波数集合の副搬送波を割り当てて、複数の端末のうち、少なくとも１つの端末に対する資源割り当て情報を生成する資源割り当て情報生成部と、上記資源割り当て情報を符号化するための符号化部と、スケジューリング割り当てチャネルを用いて、上記符号化された資源割り当て情報を上記複数の端末のうち、少なくとも１つの端末に送信するための送信部と、を含むことを特徴とするＯＦＤＭ基盤の無線通信システムにおける上りリンクパケットデータ送信のための送信装置を提供する。
【００３８】
その他、本発明の利点、及び特徴は、本発明の実施形態に開示される、添付した図面及び詳細な説明において、当該分野で通常の知識を有する者にとって自明になる。
【発明の効果】
【００３９】
本発明は、ＯＦＤＭ基盤の無線通信システムにおいて、ＤＦＤＭＡ方式とＬＦＤＭＡ方式を効率良く端末に割り当てて、この情報を柔軟性とオーバーヘッドを考慮した資源割り当て方法を用いて端末に伝えることができる。
【発明を実施するための最良の形態】
【００４０】
上記の技術内容で定義した問題において、本発明の実施形態の総合的な理解を助けるために、構成及び要素が提供されるが、これは例に過ぎないものである。通常の技術を有する者であれば、ここに記述された本実施形態に多様な変形や修正が本発明の範囲から外れない範囲内で可能であることは明らかである。また、よく知られた機能と構成に対する説明は、明瞭性と正確性のために省略する。
【００４１】
本発明の実施形態では、ＯＦＤＭ基盤の無線通信システムにおけるＤＦＤＭＡとＬＦＤＭＡを用いる上りリンク送信において、効率の良く上りリンク資源を割り当てる方法を提案する。
【００４２】
本発明は大別して２つの方法から構成される。
【００４３】
第１の方法は、ＤＦＤＭＡとＬＦＤＭＡに対する周波数領域を区分せず、１つの資源を割り当てる方法を用いて資源割り当てを遂行しながらＤＦＤＭＡとＬＦＤＭＡを提供する方法である。即ち、割り当て方法を１つの割り当て方法に統一し、同時にＤＦＤＭＡとＬＦＤＭＡを提供する方法である。この方法は、資源割り当ての柔軟性を有することができる。
【００４４】
第２の方法は、予め設定を通じてＤＦＤＭＡとＬＦＤＭＡに対する周波数部分を区分し、区分された周波数部分で各々ＤＦＤＭＡとＬＦＤＭＡを使用して端末に資源を割り当てる方法である。この方法は、資源割り当てにおいて、シグナリングオーバーヘッドを減らすことができる。
（第１実施形態）
第１実施形態を通じて、柔軟な資源割り当てに基盤した第１の方法を以下に説明する。
【００４５】
第１実施形態において、基地局はＤＦＤＭＡとＬＦＤＭＡに関らず、同一な方式で端末に割り当てられた信号資源をスケジューリングする。
【００４６】
図５は、本発明の第１実施形態に従って、上記基地局により端末の上りリンク送信のためにスケジューリングされた上りリンク資源を割り当てる処理を示すフローチャートである。図５を参照しつつ第１実施形態に従う上りリンク資源割り当て処理を説明する。
【００４７】
上りリンク送信を必要とする際（ステップ５０１）、上記基地局は各端末に対して上りリンク資源を割り当てる（ステップ５０２）。次に、上記基地局は割り当てられた上りリンク資源を端末の状態を考慮して、可能な副搬送波にマッピングする（ステップ５０３）。
【００４８】
この際、ＤＦＤＭＡを利用する端末に割り当てられた資源は、等間隔の副搬送波にマッピングされ、ＬＦＤＭＡを利用する端末に割り当てられた資源は連続した副搬送波にマッピングされる。‘ステップ５０２’と‘ステップ５０３’は、上記基地局のスケジューリング処理（ステップ５０６）に相応する。
【００４９】
基地局は、符号化処理（ステップ５０４）を通じて上りリンク資源がマッピングされた副搬送波の集合に関する情報を符号化した後、符号化された情報をスケジューリング割り当てチャネル（ステップ５０５）を通じて各端末に送信する。
【００５０】
本発明の第１実施形態に従う‘ステップ５０４’に上記副搬送波に対する情報を符号化するための処理は、資源割り当ての柔軟性とシグナリングオーバーヘッドを考慮して、種々の方法により細分化することができる。
（第１−１実施形態）
図６は、第１−１実施形態を示す図である。
【００５１】
図面符号‘６００’は、時間領域と周波数領域上における上りリンク資源を表している。時間領域は図面符号‘６０１’で表したところ、所定の時間単位が決まって、スケジューリング単位として使われて、１つの時間単位で１つのＯＦＤＭシンボルから複数個のＯＦＤＭシンボルまで設定可能である。
【００５２】
また、周波数帯域は、図面符号‘６０２’のように、複数の副搬送波から構成される。即ち、基地局は、全ての時間単位毎に割り当てられた副搬送波の集合を各端末に指示することになる。上記副搬送波集合において、全体周波数領域で割り当てられた最初の副搬送波（Start point；Ｓ）６０３、連続した副搬送波との間の間隔、繰り返し係数（Repetition factor；Ｒ）６０５、及び割り当てられた副搬送波の個数（Number of sub-carrier；Ｎ）６０４を用いて指示する。
【００５３】
上記において、任意の端末に割り当てられた資源集合、副搬送波間の間隔、及び繰り返し係数（Ｒ）は、１つの値に設定される。従って、等間隔の副搬送波を使用するＤＦＤＭＡが提供することができる。等間隔を“１”の値に設定すると、連続した副搬送波を使用するＬＦＤＭＡに提供することができる。
【００５４】
従って、１つの方法がＤＦＤＭＡとＬＦＤＭＡを両方提供できることになる。
【００５５】
便宜のため、副搬送波集合をＳＳ（Ｓ、Ｒ、Ｎ）と表示する。ここで、‘Ｓ’は最初の副搬送波のインデックス、‘Ｒ’は副搬送波間の間隔、そして‘Ｎ’は割り当てられた副搬送波の個数を表す。
【００５６】
図７及び図８は、第１−１実施形態を用いて副搬送波の集合を表現する例を示す図である。
【００５７】
図７は、与えられた周波数帯域７０５でＤＦＤＭＡを使用する場合の例を表す。
【００５８】
図７において、図面符号‘７０１’のように使われる副搬送波のうち、最初の副搬送波は０番目で、‘Ｓ＝０’となる。図面符号‘７０２’のように、副搬送波間の間隔が“８”であるので、‘Ｒ=８’となる。図面符号‘７０３’のように、使われる副搬送波が８個であるので、‘Ｎ=８’となる。結果的に、副搬送波の集合は図面符号‘７０４’のように、ＳＳ（０、８、８）と表現される。
【００５９】
図８は、与えられた周波数帯域８０５でＬＦＤＭＡを用いる場合の例を表す。
【００６０】
図８において、図面符号‘８０１’のように、使われる副搬送波のうち、最初の副搬送波は２３番目で、‘Ｓ＝２３’となる。図面符号‘８０２’のように、ＬＦＤＭＡ方式で、副搬送波間の間隔は“１”であるので、‘Ｒ＝１’となり、図面符号‘８０３’のように、使われる副搬送波の個数が１６であるので、‘Ｎ＝１６’となる。結果的に、図面符号‘８０４’のように、副搬送波の集合はＳＳ（２３、１、１６）と表現される。
【００６１】
前述したように、副搬送波の集合を表現する３つの情報要素（Ｓ、Ｒ、Ｎ）を全ての場合に用いることができる。副搬送波個数に該当する全ての値を表現するように、Ｓ、Ｎ、あるいはＲ値を設定した際、副搬送波の集合を表現するに当たって、最大の柔軟性を確保することになる。しかしながら、この場合、シグナリングオーバーヘッドは増加することになる。
【００６２】
従って、必要の場合、上記Ｓ、Ｒ、Ｎ値は制限されることが可能である。例えば、“Ｒ”または“Ｎ”値を唯２の自乗に該当する値だけに制限することができる。
（第１−２実施形態）
第１−２実施形態では、割り当てられた資源がマッピングされる副搬送波集合の柔軟性とシグナリングオーバーヘッドを同時に考慮する。
【００６３】
図９は、本発明の第１−２実施形態の基本概念を示す図である。
【００６４】
図９の図面符号‘９００’が時間領域と周波数領域上における上りリンク資源を表している。時間領域において、１つの時間単位が図面符号‘９０１’に図示されたように決まって、スケジューリング単位として使われる。
【００６５】
時間単位は、１つのＯＦＤＭシンボルから複数個のＯＦＤＭシンボルまで設定可能である。また、周波数帯域が図面符号‘９０２’に図示されたように、複数個の副搬送波から構成される。即ち、基地局は全ての時間単位毎に割り当てられた副搬送波の集合を各端末に指示する。
【００６６】
指示する方法は、副搬送波集合において、全体周波数帯域を所定の長さ（Block length；Ｌ）９０３からなる周波数ブロックに分けて、上記ブロック内のみで副搬送波を送信する。次に、全体周波数帯域が上記周波数ブロックに分けられた際、使われる周波数ブロックのインデックス（Block index；Ｂ）９０４が設定される。上記決まった周波数ブロック内でまた用いられる副搬送波は、副搬送波間の間隔によって変わることがある。副搬送波間の間隔（Ｒ）９０６が決まると、上記決まった副搬送波間隔の副搬送波集合の個数が一定の値に決まることになる。従って、副搬送波集合のインデックス（Index；Ｉ）９０５が１つの副搬送波集合に定義されることになる。
【００６７】
副搬送波間の間隔（Ｒ）９０６は、任意の端末に割り当てられた資源集合で１つの値に決まるので、等間隔の副搬送波を用いたＤＦＤＭＡ方式を提供することができ、副搬送波間の間隔（Ｒ）を“１”に決めると、連続した副搬送波を用いたＬＦＤＭＡ方式を提供することができる。
【００６８】
即ち、１つの方法によりＤＦＤＭＡ方式とＬＦＤＭＡ方式、両方とも提供できることになる。便宜のため、端末に割り当てられる副搬送波集合をＳＳ（Ｌ、Ｂ、Ｒ、Ｉ）と表現する。
【００６９】
図１０と図１１は、本発明の第１−２実施形態を用いた副搬送波集合を示す図である。
【００７０】
図１０は、ＤＦＤＭＡを使用する場合の例を図示する。
【００７１】
図１０を参照すると、図面符号‘１００１’は、副搬送波集合が位置する周波数ブロックの長さ（Ｌ）を表す。例えば、６４個の副搬送波１０００のうち、１６個は全体周波数帯域で１つの周波数ブロックである。上記副搬送波の個数は上記周波数帯域の大きさによって変わることがある。従って、長さ値が１６である周波数ブロックの個数は４つに定義され、上記４つの周波数ブロックは、順にインデックスを有することができる。図１０において、図面符号１００２に表した通り、Ｂ値が０から始まる、３番目の周波数ブロックで、Ｂ＝２となる。図面符号‘１００３’のように、上記周波数ブロック内で副搬送波間の間隔（Ｒ）は“４”に設定される。
【００７２】
仮に、上記周波数ブロックの長さ（Ｌ）、インデックス（Ｂ）、及び副搬送波間の間隔（Ｒ）が決まると、割り当てられる副搬送波集合の個数は１つまたは複数個に決まる。図１０において、現在として割り当てられることができる副搬送波集合の個数は４つとなる。
【００７３】
割り当てられることができる副搬送波集合において、最初の副搬送波のインデックスを決めることができる。図１０において、図面符号‘１００４’のように、副搬送波集合は、Ｉ値が０から始まるＩ＝３の、４番目の位置にマッピングされた最初の副搬送波を有する。結果的に、図１０において、図面符号１００５のように、副搬送波集合は、ＳＳ（１６、２、４、３）と表現される。
【００７４】
図１１は、ＬＦＤＭＡを用いる場合を図示する。
【００７５】
図１１を参照すると、図面符号‘１１０１’は、副搬送波集合が位置する周波数ブロックの長さ（Ｌ）を表す。例えば、６４副搬送波１１０６のうち、３２個の副搬送波は総周波数帯域で１つの周波数ブロックに指定されている。副搬送波の個数は、上記総周波数帯域の大きさによって変わることがある。長さ値が３２である周波数ブロックの個数は２つに決まる。図１１の図面符号１１０２に表した通り、Ｂ値が０から始まる、２番目の周波数ブロックで、Ｂ＝１となる。
【００７６】
図面符号‘１１０３’のように、上記周波数ブロック内で副搬送波間の間隔Ｒは、“１”に決まり、このように、ＬＦＤＭＡの表現が可能になる。
【００７７】
仮に、上記周波数ブロックの長さ、インデックス、そして副搬送波間の間隔が決まると、割り当てられることができる副搬送波集合の個数は１つまたは複数個に決まることになる。図１１では、現在として割り当てられることができる副搬送波集合の個数は１つとなる。
【００７８】
割り当てられることができる副搬送波集合において、最初の副搬送波のインデックスを決めることができる。図１１において、図面符号‘１１０４’のように、副搬送波集合はＩ値が０から始める‘Ｉ＝０’の一番目の位置にマッピングされた一番目の副搬送波を有する。結果的に、図面符号‘１１０５’のように、図１１の副搬送波の集合は、ＳＳ（３２、１、１、０）と表現される。
【００７９】
一方、副搬送波の集合を表現するための４つの情報要素（Ｌ、Ｂ、Ｒ、Ｉ）で副搬送波の個数を全ての値に表現できる際、大きい柔軟性を得ることができるが、シグナリングオーバーヘッドは増加することになる。
【００８０】
従って、必要によって、前述した値のうち、表現できる値が制限されることができる。例えば、以下のように制限が可能である際、シグナリングオーバーヘッドは相当に減少することになる。
【００８１】
まず、ブロック長さ（Ｌ）を最小“１６”に制限し、唯“２”の自乗の値だけで決める。また、副搬送波間の間隔（Ｒ）は最大“１６”とし、任意の定数と仮定する。上記のような仮定の下では、周波数ブロック長さ（Ｌ）と周波数ブロックインデックス（Ｂ）の組合せ及び副搬送波間隔（Ｒ）、そして副搬送波集合関連インデックス（Ｉ）に表現することができる。
【００８２】
【表１】
2008546303.tif 000003
【００８３】
表１では、周波数ブロック長さと周波数ブロックインデックスの組合せ（ｘ）の個数は６３種類であり、副搬送波の間隔と副搬送波集合関連インデックスの組合せ（ｙ）の個数は１３６種類であるので、全ての可能な組合せの個数はｘ＊ｙ＝６３＊１３６種類となる。
【００８４】
これに対する表現は、周波数ブロック長さと周波数ブロックインデックスの組合せのｘと、副搬送波の間隔と副搬送波集合関連インデックスの組合せのｙを用いる。上記基地局がｘ＊ｙの値をスケジューリング割り当て情報であるインデックスに変換するか、または符号化し、符号化された情報を端末に送信した際、上記端末は上記基地局が割り当てた副搬送波集合を解析することができる。上記式において、Ｌ、Ｂ、Ｒ、Ｉに対する制限条件によって上記ｘ、ｙ値の範囲が変わることがある。
（第２実施形態）
本発明の第２実施形態では、上位シグナリングを通じてＤＦＤＭＡ方式とＬＦＤＭＡ方式に用いられる上りリンク資源に対する以前の設定組合せを用いてスケジューリングがなされる。上記スケジューリングを通じて端末に割り当てられた副搬送波集合が指示される。
【００８５】
図１２は、本発明の第２実施形態に従う周波数領域別資源指示方法を図示する。
【００８６】
図１２を参照すると、総周波数帯域１２０１は、資源がＤＦＤＭＡで使われる周波数部分１２０３と資源がＬＦＤＭＡで使われる部分１２０２とに分けられる。上位シグナリングを通じて上記基地局と端末が上記分けられた周波数帯域に対する情報を事前に知ることになる。以下では、上記ＤＦＤＭＡとＬＦＤＭＡ方式において、資源が使われる周波数部分を‘周波数集合’と称する。
【００８７】
周波数集合を決める際、現在の基地局に属した端末の状態が検出され、ＤＦＤＭＡに必要な資源がある程度必要であるかに対する判断がなされる。上記ＤＦＤＭＡ周波数集合が先に決まる。
【００８８】
ＤＦＤＭＡ周波数集合の設定方法は、ＤＦＤＭＡの副搬送波繰り返し係数（Ｒ）１２０５と、上記ＤＦＤＭＡ周波数集合のうち、１つの周波数部分の長さ（Ｌ）１２０４を用いる。以下では、上記周波数集合のうち、１つの周波数領域を‘副搬送波集合’と称する。
【００８９】
ここで、周波数ダイバーシティ利得を最大にするために、上記ＤＦＤＭＡ周波数集合は、全体周波数帯域に広まって存在することを仮定する。勿論、ＤＦＤＭＡ周波数集合が位置した周波数帯域は、特定の周波数帯域に設定されることができる。ＤＦＤＭＡが全体周波数帯域にわたって存在するという仮定の下で、ＤＦＤＭＡの繰り返し係数（Ｒ）とＤＦＤＭＡ副搬送波集合の長さ（Ｌ）だけでもＤＦＤＭＡの周波数集合が設定される。これによって、残りの周波数部分は周波数部分長さ１２０６を有した副搬送波集合と判断される。また、ＤＦＤＭＡインデックスは副搬送波集合に順に自動に与えられる。同様に、ＬＦＤＭＡインデックスは、ＬＦＤＭＡ副搬送波集合に順に自動に与えられる。図１２のＤＦＤＭＡの周波数集合において、一番目のインデックスの副搬送波集合は、図１２において、図面符号‘１２０８’が指示する副搬送波を含む。
【００９０】
一方、図１２において、Ｌ＝０の時、通常的なＬＦＤＭＡ動作が行われて、この場合、Ｒ値は予め設定して適用されるようにすることができる。
【００９１】
図１３は、本発明の第２実施形態に従う基地局の動作処理を示すフローチャートである。
【００９２】
図１３を参照すると、上りリンク送信が始まると、上記基地局は周波数資源を分けてＤＦＤＭＡとＬＦＤＭＡに設定する（ステップ１３０１）。
【００９３】
即ち、現在の基地局に属した端末の状態と今後必要な資源の量を判断した後（ステップ１３０２）、ＤＦＤＭＡ副搬送波集合の全部もしくは一部の繰り返し係数（Ｒ）値を設定する（ステップ１３０３）。
【００９４】
次に、ＤＦＤＭＡ副搬送波集合の長さ（Ｌ）、即ちＤＦＤＭＡが使われる副搬送波集合の副搬送波の個数を決める（ステップ１３０４）。これによって、ＤＦＤＭＡ副搬送波の集合、またはグループとＬＦＤＭＡ副搬送波の集合、またはグループに自動にインデックスが与えられる（ステップ１３０５）。
【００９５】
次に、基地局は所定のスケジューリング区間内で既に決まったＤＦＤＭＡとＬＦＤＭＡのスケジューリングを遂行する（ステップ１３０７）。即ち、ＤＦＤＭＡ副搬送波集合のインデックスが上記ＤＦＤＭＡを必要とする端末に割り当てられて（ステップ１３０８）、ＬＦＤＭＡ副搬送波集合のインデックスが上記ＬＤＦＤＭＡを必要とする端末に割り当てられる（ステップ１３０９）。ここで、上記インデックスは、‘ステップ１３０５’で自動に与えられたインデックスである。次に、基地局は割り当てられたインデックスをスケジューリング割り当てチャネルを用いて端末に送信する（ステップ１３１０）。この際、送信される情報は唯１つの副搬送波集合インデックスのみ含まれることができる。また、複数個の副搬送波集合が必要な場合には、一番目の副搬送波集合と副搬送波集合の個数に対する情報を共に転送することもできる。
【００９６】
上記基地局は、所定区間の間、上記ステップ１３０８からステップ１３１０までの処理を繰り返す（ステップ１３０６）。ここで、所定の区間はｎ＝０：ｎ＜ｐｅｒｉｏｄ；＋＋ｎに定義された区間のように、ステップ１３０１の設定ステップが遂行される周期を表す。
【００９７】
上記基地局は、前述した処理を繰り返すことによって、上りリンク送信を制御することになる。
【００９８】
また、上記端末は、上記基地局から割り当てられたインデックスを含む資源割り当て情報を受信し、予め知っているＤＦＤＭＡの繰り返し係数（Ｒ）とＤＦＤＭＡ副搬送波集合の長さ（Ｌ）によって、自分に割り当てられた副搬送波を検出する。
【００９９】
図１４は、本発明の一実施形態に従う上りリンクパケット制御のための基地局の送信装置を示すブロック構成図である。
【０１００】
一方、図１４は、前述した第１及び第２実施形態に各々該当する動作を遂行するところ、各実施形態に該当する構成を図１４を参照しつつ各々説明する。
【０１０１】
図１４を参照すると、第１実施形態に従う基地局の送信装置は、上りリンク送信を必要とする際、基地局が各端末に対して周波数帯域別の上りリンク資源を割り当てるための資源割り当て部１４０１と、割り当てられた上りリンク資源を端末の状態を考慮して等間隔の副搬送波、あるいは連続した副搬送波にマッピングし、各端末に対する資源割り当て情報を生成する資源割り当て情報生成部１４０２と、各端末に対する資源割り当て情報を符号化するための符号化部１４０３と、スケジューリング割り当てチャネルを介して符号化された資源割り当て情報を端末に送信するための送信部１４０４と、を具備して構成される。
【０１０２】
ここで、資源割り当て情報生成部１４０２は、ＤＦＤＭＡを使用する端末は、等間隔の副搬送波に資源をマッピングし、ＬＦＤＭＡを使用する端末は連続した副搬送波に資源をマッピングする。
【０１０３】
また、第２実施形態に従う基地局の送信装置は、上りリンク送信を必要とする際、各端末に対して周波数帯域別の上りリンク資源をＤＦＤＭＡとＬＦＤＭＡとに分けて、ＤＦＤＭＡ資源とＬＦＤＭＡ資源を設定するための資源割り当て部１４０１と、所定のスケジューリング区間の間、ＤＦＤＭＡまたはＬＦＤＭＡを必要とする各端末にＤＦＤＭＡ副搬送波集合インデックス、あるいはＬＦＤＭＡ副搬送波集合インデックスを割り当てて副搬送波にマッピングし、各端末に対する資源割り当て情報を生成する資源割り当て情報生成部１４０２と、各端末に対する資源割り当て情報を符号化するための符号化部１４０３と、スケジューリング割り当てチャネルを用いて符号化された資源割り当て情報を各端末に送信するための送信部１４０４と、を具備して構成される。
【０１０４】
ここで、資源割り当て情報生成部１４０２は、現在の基地局に属した端末の状態と周波数部分インデックスを設定する際、今後、必要とする資源の量を判断する。また、資源割り当て情報生成部１４０２は、ＩＦＭＤＡが使われる副搬送波集合の繰り返し係数値（Ｒ）を設定し、ＤＦＤＭＡが使われる副搬送波集合の副搬送波個数（Ｌ）を設定する。すると、ＤＦＤＭＡ副搬送波集合とＬＦＤＭＡ副搬送波集合のインデックスは自動に与えられる。
【０１０５】
併せて、割り当てられたインデックスを端末に送信するにあって、端末に送信される情報は、１つの副搬送波インデックスのみを含むか、最初の副搬送波集合のインデックスと副搬送波集合の個数を共に含むことができる。
【０１０６】
一方、各々の端末は、基地局からスケジューリング割り当てチャネルを介して送信された情報を通じて自分に割り当てられた周波数資源を検出し、上記周波数資源を用いて基地局への上りリンク送信を遂行する。
【０１０７】
本発明の技術思想は、上記望ましい実施形態に従って具体的に記述されたが、前述した実施形態はその説明のためのものであり、その制限のためのものでないことに注意すべきである。また、本発明の技術分野の通常の知識を有する者であれば、本発明の技術思想の範囲内で多様な実施形態が可能であることが分かるはずである。
【図面の簡単な説明】
【０１０８】
本発明の特定の実施形態の他の側面と特徴、及び利点に対しては、添付した図面及び詳細な説明から一層明らかになる。
【図１】通常のＯＦＤＭシステムの送信機構造を示すブロック構成図である。
【図２】変形された上りリンク送信方式を有するＯＦＤＭシステムの送信機を示すブロック構成図である。
【図３】図２に図示されたマッピング器の動作を詳細に示すブロック構成図である。
【図４】周波数領域でＤＦＤＭＡとＬＦＤＭＡの副搬送波の位置を比較図示した図である。
【図５】本発明の第１実施形態に従って基地局が端末の上りリンク送信のためにスケジューリングを通じて上りリンク資源を割り当てる過程処理を示すフローチャートである。
【図６】実施例１−１を示す図である。
【図７】実施例１−１を用いて１つの副搬送波の集合を表現する例を示す図である。
【図８】実施例１−１を用いて１つの副搬送波の集合を表現する例を示す図である。
【図９】本発明の実施例１−２を示す図である。
【図１０】本発明の実施例１−２を用いて１つの副搬送波の集合を表現する例を示す図である。
【図１１】本発明の実施例１−２を用いて１つの副搬送波の集合を表現する例を示す図である。
【図１２】本発明の実施例２に従った周波数領域の図示、及び資源指示方法を図示した図である。
【図１３】本発明の実施例２に従った基地局の動作処理を示すフローチャートである。
【図１４】本発明の１つの実施例２に従う上りリンクパケット制御のための基地局の送信装置を示すブロック構成図である。
【符号の説明】
【０１０９】
上記の図面において、同一な図面の参照符号は、同一な要素と特徴、及び構造を指し示すということが分かる。
６００  上りリンク資源
６０１  時間領域
６０２  周波数帯域
６０３  最初の副搬送波（Ｓ）
６０４  副搬送波の個数（Ｎ）
６０５  繰り返し係数（Ｒ）
【図１】
2008546303.tif 000004
【図２】
2008546303.tif 000005
【図３】
2008546303.tif 000006
【図４】
2008546303.tif 000007
【図５】
2008546303.tif 000008
【図６】
2008546303.tif 000009
【図７】
2008546303.tif 000010
【図８】
2008546303.tif 000011
【図９】
2008546303.tif 000012
【図１０】
2008546303.tif 000013
【図１１】
2008546303.tif 000014
【図１２】
2008546303.tif 000015
【図１３】
2008546303.tif 000016
【図１４】
2008546303.tif 000017
【国際調査報告】
2008546303.tif 000018
2008546303.tif 000019